【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
材料分配器であって、
高密度材料を低密度ダンネージへ変換する分配部材であって、前記分配部材は、下流方向に、経路に沿って一続きのダンネージを分配するように構成されている、分配部材と、
切断縁を有する切断部材と
を備え、
前記切断縁は、前記経路に対して概して下流に延び、かつ前記経路を横切って凸状形状を有し、それによって、前記一続きのダンネージが前記切断部材に対して引っ張られると、前記切断縁が前記一続きのダンネージを係合して、前記一続きのダンネージの切断を連続的に開始し、それによって切断力を低減する、材料分配器。
【請求項２】
前記切断部材は、前記切断縁上の切断要素をさらに備え、前記切断要素は、前記経路に対して概して下流に延び、凸状切断縁に沿って互に対して配置されている、請求項１に記載の材料分配器。
【請求項３】
前記切断部材は、前記経路に沿って概して下流に延びているブレード平坦部を有するブレードを備え、前記ブレードは、前記切断要素において前記ブレード平坦部の下流側で終了する、請求項２に記載の材料分配器。
【請求項４】
前記ブレード平坦部は、実質的に平坦な表面を有する、請求項３に記載の材料分配器。
【請求項５】
前記切断縁は、鋸歯状であり、前記切断要素が前記鋸歯の先端部を構成している、請求項４に記載の材料分配器。
【請求項６】
前記切断部材は、前記経路に沿って概して下流に延びているブレードを備え、前記ブレードは、前記切断要素においてその下流側で終了し、
前記ブレードは、前記経路に対して概して横断して延びているブレード軸の周りに旋回可能であり、それによって、前記切断要素に対する前記一続きのダンネージの前記引っ張りが、前記ブレード軸の周りに前記ブレードを変位させ、
前記材料分配器は、
前記切断部材に対して前記一続きのダンネージを引っ張ることにより前記切断を開始するように動作可能である引き裂き支援ユニットと、
前記ブレード軸の周りの前記ブレードの前記変位を検出するように構成され、前記引き裂き支援ユニットに関連付けられている感知ユニットと
をさらに備え、
前記感知ユニットは、前記切断部材に対して前記経路に沿って逆方向に前記一続きのダンネージを駆動し、前記一続きのダンネージにおいて引き裂きを開始するように前記引き裂き支援ユニットを起動させる、請求項２に記載の材料分配器。
【請求項７】
前記切断部材に対して前記一続きのダンネージを引っ張ることにより前記切断を開始するように動作可能である引き裂き支援ユニットをさらに備えている、請求項１に記載の材料分配器。
【請求項８】
前記引き裂き支援ユニットは、前記切断部材に対して前記経路に対して上流に前記一続きのダンネージを引っ張ることにより前記切断を開始するように動作可能である、請求項６に記載の材料分配器。
【請求項９】
前記引き裂き支援ユニットは、前記分配部材を備え、前記ダンネージを上流に引っ張るように逆に動作可能である、請求項８に記載の材料分配器。
【請求項１０】
前記切断部材に対して前記経路に対して前記一続きのダンネージを上流に引っ張ることにより切断を開始するように動作可能なドラムをさらに含む、請求項１に記載の材料分配器。
【請求項１１】
所定の方向へのユーザによる前記一続きのダンネージの引っ張りを検出するように構成されている感知ユニットをさらに備え、前記感知ユニットは、前記引き裂き支援ユニットに関連付けられており、それによって、前記切断部材に対する前記ユーザによる前記一続きのダンネージの前記引っ張りを検出すると、前記感知ユニットは、前記切断部材に対して前記経路に沿って逆方向に前記一続きのダンネージを駆動することにより前記一続きのダンネージにおける引き裂きを開始するように前記引き裂き支援ユニットを起動させる、請求項７に記載の材料分配器。
【請求項１２】
前記感知ユニットは、ユーザが前記切断ユニットに対して前記ダンネージを引っ張ることを示す前記切断ユニットの変位に対して敏感なスイッチを備えている、請求項１１に記載の材料分配器。
【請求項１３】
前記切断部材に対して前記経路に対して前記一続きのダンネージを上流に引っ張ることにより切断を開始するように動作可能なドラムをさらに含み、
前記感知ユニットは、前記ユーザによる前記一続きのダンネージの前記引っ張りによって順方向の前記ドラムの前記移動を検出し、検出すると、前記切断部材に対して前記経路に沿って逆方向に前記一続きのダンネージを駆動することにより前記一続きのダンネージにおいて引き裂きを開始するように前記引き裂き支援ユニットを起動させるように構成されている、請求項１１に記載の材料分配器。
【請求項１４】
前記高密度材料は、ペーパーシート材料のリボンである、請求項１に記載の材料分配器。
【請求項１５】
前記高密度材料を前記低密度ダンネージに変換するために、前記高密度材料に長手方向にしわをつけるように構成されている変換ステーションをさらに含む、請求項１３に記載の材料分配器。
【請求項１６】
前記引き裂き支援ユニットは、前記ダンネージが前記切断部材に対して引っ張られると、前記切断部材に対して前記ダンネージを引っ張ることにより前記切断部材に前記ダンネージを切断させるために、逆方向に動作可能である、請求項１５に記載の材料分配器。
【請求項１７】
前記凸状形状は、弧である、請求項１に記載の材料分配器。
【請求項１８】
前記切断部材は、先端部を有する歯を備え、前記先端部は、前記歯に対して引っ張られた前記ダンネージを連続的に係合するために、互に間隔を空けられ、前記凸状形状に沿って位置付けされている、請求項１に記載の材料分配器。
【請求項１９】
前記歯は、互に間隔を空けられており、それによって、ユーザが前記切断部材に対して前記一続きのダンネージを把持して引っ張ると、前記一続きのダンネージは、前記ダンネージに面する前記いくつかの歯の最初の群に最初に接触し、前記最初の群が前記ダンネージを切断することを開始すると、前記切断要素のうちのさらなるものに接触する、請求項１８に記載の材料分配器。
【請求項２０】
ダンネージ装置であって、
一続きの高密度材料を低密度ダンネージに変換し、前記ダンネージを下流方向に経路に沿って分配する変換ステーションと、
切断縁を有する切断部材を備えている引き裂き支援装置と
を備え、
前記切断縁は、前記経路に対して概して下流に延び、かつ前記経路を横切って凸状形状を有しており、前記切断縁は、前記切断縁に沿って整列させられている歯を含み、それによって、前記歯の先端部は、概して下流に延び、前記凸状形状を一緒に形成しており、それによって、前記一続きのダンネージが前記切断部材に対して引っ張られると、前記切断縁は、前記一続きの材料を係合して、前記一続きの材料の切断を連続的に開始し、それによって切断力を低減し、前記引き裂き支援装置は、前記切断部材に対して前記一続きのダンネージを上流に動作可能に引っ張ることにより前記切断を開始するように構成されている、ダンネージ装置。
【請求項２１】
前記引き裂き支援ユニットおよび変換ステーションは、ドラムを備え、前記ドラムは、前記一続きのダンネージを前記切断部材に対して前記経路に対して上流に引っ張ることにより前記切断を開始するように動作可能である、請求項２０に記載のダンネージ装置。
【手続補正２】
【補正対象書類名】明細書
【補正対象項目名】００１６
【補正方法】変更
【補正の内容】
【００１６】
いくつかの実施形態では、ダンネージ装置は、一続きの材料をダンネージに変換することができ、このダンネージを下流方向に経路に沿って分配する変換ステーションと、経路に対して概して下流に延び、経路を横切って凸状形状に沿って互に対して配置される切断要素を有する切断部材を備えていることができ、それによって、切断縁は、一続きの材料が切断部材に対して引っ張られるときに一続きの材料を係合して、連続的に切断を開始し、それによって切断力が低減される引き裂き支援装置であって、切断部材に対して一続きの材料を上流に動作可能に引っ張って切断を開始するように構成される引き裂き支援装置とを備えていることができる。引き裂き支援ユニットおよび変換ステーションは、一続きの材料を分配することと、一続きの材料を低密度ダンネージに変換することと、一続きの材料を切断部材に対して経路に対して上流に引っ張ることにより切断を開始することとを行うために動作可能であるドラムを備えていることができる。
本明細書は、例えば、以下を提供する。
（項目１）
材料分配器であって、
下流方向に、経路に沿って一続きの材料を分配するように構成された分配部材と、
切断縁を有する切断部材と
を備え、
前記切断縁は、前記経路に対して概して下流に延び、かつ前記経路を横切って凸状形状を有し、それによって、前記一続きの材料が前記切断部材に対して引っ張られると、前記切断縁が前記一続きの材料を係合して、前記一続きの材料の切断を連続的に開始し、それによって切断力を低減する、材料分配器。
（項目２）
前記切断部材は、前記切断縁上の切断要素をさらに備え、前記切断要素は、前記経路に対して概して下流に延び、前記凸状切断縁に沿って互に対して配置されている、項目１に記載の材料分配器。
（項目３）
前記切断部材は、前記経路に沿って概して下流に延びているブレード平坦部を有するブレードを備え、前記ブレードは、前記切断要素において前記ブレード平坦部の下流側で終了する、項目２に記載の材料分配器。
（項目４）
前記ブレード平坦部は、実質的に平坦な表面を有する、項目３に記載の材料分配器。
（項目５）
前記切断縁は、鋸歯状であり、前記切断要素が前記鋸歯の先端部を構成している、項目４に記載の材料分配器。
（項目６）
前記ブレードは、前記経路に対して概して横断して延びているブレード軸の周りに旋回可能であり、それによって、前記切断要素に対する前記一続きの材料の前記引っ張りが、前記ブレード軸の周りに前記ブレードを変位させ、
前記材料分配器は、
前記切断部材に対して前記一続きの材料を引っ張ることにより前記切断を開始するように動作可能である引き裂き支援ユニットと、
前記ブレード軸の周りの前記ブレードの前記変位を検出するように構成され、前記引き裂き支援ユニットに関連付けられている感知ユニットと
をさらに備え、
前記感知ユニットは、前記切断部材に対して前記経路に沿って逆方向に前記一続きの材料を駆動し、前記一続きの材料において引き裂きを開始するように前記引き裂き支援ユニットを起動させる、項目２に記載の材料分配器。
（項目７）
前記切断部材に対して前記一続きの材料を引っ張ることにより前記切断を開始するように動作可能である引き裂き支援ユニットをさらに備えている、項目１に記載の材料分配器。
（項目８）
前記引き裂き支援ユニットは、前記切断部材に対して前記経路に対して上流に前記一続きの材料を引っ張ることにより前記切断を開始するように動作可能である、項目３に記載の材料分配器。
（項目９）
前記引き裂き支援ユニットは、前記分配部材を備え、前記材料を上流に引っ張るように逆に動作可能である、項目８に記載の材料分配器。
（項目１０）
前記分配部材は、供給材料を低密度ダンネージとしての前記一続きの材料に変換するように動作可能である変換ステーションを備えている、項目９に記載の材料分配器。
（項目１１）
前記引き裂き支援ユニット、分配部材、および変換ステーションは、ドラムを備え、前記ドラムは、一続きの材料を分配することと、一続きの材料を低密度ダンネージに変換することと、前記切断部材に対して前記経路に対して前記一続きの材料を上流に引っ張ることにより切断を開始することとを行うために動作可能である、項目１０に記載の材料分配器。
（項目１２）
所定の方向へのユーザによる前記一続きの材料の引っ張りを検出するように構成されている感知ユニットをさらに備え、前記感知ユニットは、前記引き裂き支援ユニットに関連付けられており、それによって、前記切断部材に対する前記ユーザによる前記一続きの材料の前記引っ張りを検出すると、前記感知ユニットは、前記切断部材に対して前記経路に沿って逆方向に前記一続きの材料を駆動することにより前記一続きの材料における引き裂きを開始するように前記引き裂き支援ユニットを起動させる、項目７に記載の材料分配器。
（項目１３）
前記感知ユニットは、ユーザが前記切断ユニットに対して前記材料を引っ張ることを示す前記切断ユニットの変位に敏感なスイッチを備えている、項目１２に記載の材料分配器。
（項目１４）
前記感知ユニットは、前記ユーザによる前記一続きの材料の前記引っ張りによって順方向の前記ドラムの前記移動を検出し、検出すると、前記切断部材に対して前記経路に沿って逆方向に前記一続きの材料を駆動することにより前記一続きの材料において引き裂きを開始するように前記引き裂き支援ユニットを起動させるように構成されている、項目１２に記載の材料分配器。
（項目１５）
前記一続きの材料は、一続きのダンネージを含む、項目１に記載の材料分配器。
（項目１６）
前記分配部材は、供給材料を低密度ダンネージとしての前記一続きの材料に変換するように動作可能である変換ステーションを備え、前記一続きの材料は、ペーパーシート材料のリボンである、項目１に記載の材料分配器。
（項目１７）
前記変換ステーションは、前記供給材料を前記ダンネージに変換するために、前記供給材料に長手方向にしわをつけるように構成されている、項目１４に記載の材料分配器。
（項目１８）
前記引き裂き支援ユニットは、前記ダンネージが前記切断部材に対して引っ張られると、前記切断部材に対して前記ダンネージを引っ張ることにより前記切断部材に前記ダンネージを切断させるために、逆方向に動作可能である、項目１７に記載の材料分配器。
（項目１９）
前記凸状形状は、弧である、項目１に記載の材料分配器。
（項目２０）
前記ブレードは、先端部を有する歯を備え、前記先端部は、前記歯に対して引っ張られた前記材料を連続的に係合するために、互に間隔を空けられ、前記凸状形状に沿って位置付けされている、項目１６に記載の材料分配器。
（項目２１）
前記切断要素は、互に間隔を空けられており、それによって、ユーザが前記切断部材に対して前記一続きの材料を把持して引っ張ると、前記一続きの材料は、前記材料に面する前記いくつかの切断要素の最初の群に最初に接触し、前記最初の群が前記材料を切断することを開始すると、前記切断要素のうちのさらなるものに接触する、項目２０に記載の材料分配器。
（項目２２）
ダンネージ装置であって、
一続きの材料をダンネージに変換し、前記ダンネージを下流方向に経路に沿って分配する変換ステーションと、
切断要素を有する切断部材を備えている引き裂き支援装置と
を備え、
前記切断要素は、前記経路に対して概して下流に延び、かつ前記経路を横切って凸状形状に沿って互に対して配置されており、それによって、前記一続きの材料が前記切断部材に対して引っ張られると、前記切断縁は、前記一続きの材料を係合して、前記一続きの材料の切断を連続的に開始し、それによって切断力を低減し、前記引き裂き支援装置は、前記切断部材に対して前記一続きの材料を上流に動作可能に引っ張ることにより前記切断を開始するように構成されている、ダンネージ装置。
（項目２３）
前記引き裂き支援ユニットおよび変換ステーションは、ドラムを備え、前記ドラムは、一続きの材料を分配することと、一続きの材料を低密度ダンネージに変換することと、前記一続きの材料を前記切断部材に対して前記経路に対して上流に引っ張ることにより前記切断を開始することとを行うために動作可能である、項目２３に記載のダンネージ装置。